(57)【要約】【課題】混在原稿の読取時に原稿長さにより排紙速度を可変することで、排紙後の原稿揃えを容易にする画像読取装置を提供する。【解決手段】原稿載置台５においてセンサ５０により検出した原稿の最大サイズを基準とする。具体的には、Ａ３原稿が最大サイズであったとすると、制御部１０１は、Ａ３原稿の排出速度を基準排出速度とする。搬送路Ｆに設置された複数のセンサ５３により副走査方向の原稿長さを検出し、Ａ３より短い原稿であるかを確認して、制御部１０１はドライバ１０８を介して原稿搬送ローラ駆動モータを制御して排出速度を上げる。これによって、最大サイズ原稿より読取原稿が短い原稿でも外部に「蹴り出す」ことで、最大サイズの原稿に先端部を一致させることができる。【選択図】図２
2009200677.tif 000002
【特許請求の範囲】
【請求項１】
読取原稿を載置する原稿載置台と、
読取原稿を搬送する搬送路と、
上記原稿載置台に載置された原稿を読み取るための原稿読取部と、
読み取りが完了した原稿を排出する排出部を備えた原稿読取装置であって、
サイズが混在した原稿を読み取る場合、搬送方向の原稿長さに応じて上記搬送路から上記排出部への原稿排出速度を切り替えて、原稿がその先端部を揃えた状態で排出されることを特徴とする原稿読取装置。
【請求項２】
上記原稿長さは、上記原稿読取部の副走査方向の長さであることを特徴とする請求項１に記載の原稿読取装置。
【請求項３】
上記原稿載置台に載置された原稿の最大原稿長さを検出する検出手段を備えたことを特徴とする請求項１に記載の原稿読取装置。
【請求項４】
検出された最大原稿長さと読取原稿長さとの比率に応じて読取原稿の排出速度を切り替えることを特徴とする請求項３に記載の原稿読取装置。
【請求項５】
上記比率が大きくなると読取原稿の排出速度を早くすることを特徴とする請求項５に記載の原稿読取装置。
【請求項６】
上記搬送路は、ストレートパス、または、反転パスの何れかであることを特徴とする請求項１乃至５のいずれかに記載の原稿読取装置。
【発明の詳細な説明】
【技術分野】
【０００１】
本発明は、混在原稿の読取時に原稿長さにより排紙速度を可変することで、排紙後の原稿揃えを容易にする画像読取装置に関する。
【背景技術】
【０００２】
近年、画像読取装置にあっては、自動原稿送り装置を装備し、大量の原稿を短時間に読み取ることができる。この場合、サイズが異なる原稿や、カラーやモノクロの原稿等が混在する可能性もあり、使用者が仕分けしなくとも、自動的に最適の読み取り設定を行って読み取り処理を行う装置が登場している。
【０００３】
例えば、後述する特許文献１には、読み取り原稿が片面原稿若しくは両面原稿である場合、カラー原稿である場合、カラー原稿とモノクロ原稿とが混在している場合、およびサイズの異なる原稿を混載した場合において、効率よく原稿の読み取りができ、生産性の著しく高い画像読取装置、画像読取方法および画像形成装置が示されている。具体的には、読み取り原稿を搬送機構により送りながら原稿画像の読み取りを行い、原稿の一面を読み取るように配置された第１の読取部と、第１の読取部で読み取る面と同一の面を読み取るように第１の読取部の下流側に配置された第２の読取部とを具備する。片面原稿及び両面限のいずれの場合でも第１の読取部で読み取った画像でカラーかモノクロかを判断し、第２の読取部での読取速度を切り替える。
【特許文献１】特開２００２−２２３３３９号公報
【発明の開示】
【発明が解決しようとする課題】
【０００４】
しかし、特許文献１には、混在原稿を読み取った際の原稿排出トレイでの原稿の整合性については記載されていない。従って、サイズの異なった原稿が混在した場合は、読み取り後に原稿排出トレイに廃された原稿は全く整合されておらず、使用者が原稿を揃える必要があった。
【０００５】
本発明は、斯かる実情に鑑み、混在原稿の読取時に原稿長さにより排紙速度を可変することで、排紙後の原稿揃えを容易にする画像読取装置を提供しようとするものである。
【課題を解決するための手段】
【０００６】
本発明は、読取原稿を載置する原稿載置台と、読取原稿を搬送する搬送路と、上記原稿載置台に載置された原稿を読み取るための原稿読取部と、読み取りが完了した原稿を排出する排出部を備えた原稿読取装置であって、
サイズが混在した原稿を読み取る場合、搬送方向の原稿長さに応じて上記搬送路から上記排出部への原稿排出速度を切り替えて、原稿がその先端部を揃えた状態で排出されることを特徴とする。
【０００７】
上記原稿長さは、上記原稿読取部の副走査方向の長さであっても良い。
【０００８】
また、上記原稿載置台に載置された原稿の最大原稿長さを検出する検出手段を備えてもよく、この場合、検出された最大原稿長さと読取原稿長さとの比率に応じて読取原稿の排出速度を切り替えることを特徴とする。そして、上記比率が大きくなると読取原稿の排出速度を早くすることを特徴とする。
【０００９】
上記搬送路は、ストレートパス、または、反転パスの何れかであることを特徴とする。
【発明の効果】
【００１０】
本発明によれば、サイズが混在した原稿を読み取る場合、搬送方向の原稿長さに応じて搬送路から排出部への原稿排出速度を切り替えて、原稿がその先端部を揃えた状態で排出されるので、読み取りが完了した混在原稿を排出した際であっても、原稿載置台に載置された状態と同様に原稿が整合されるので、利用者による読取後の原稿の整合を容易にすることができる。
【００１１】
上記原稿載置台に載置された原稿の最大原稿長さを検出する検出手段を備えて、検出された最大原稿長さと読取原稿長さとの比率が大きくなると読取原稿の排出速度早くするので、原稿長さの長い原稿は手前に、原稿長さが短い原稿は遠くに飛ばすことが可能となり排出部に排出された原稿が先端を揃えて整合させることが可能となる。
【発明を実施するための最良の形態】
【００１２】
以下、本発明の実施の形態を添付図面を参照して説明する。
【００１３】
図１に示すように、本発明に係る第１の実施形態の原稿読取装置１００は、原稿を原稿搬送路Ｆに沿って自動的に搬送する自動原稿送り装置（以下、「ＡＤＦ」と称する）１と、搬送されてきた原稿の表面側の画像を読み取る第１画像読取手段１０と、搬送されてきた原稿の裏面側の画像を読み取る第２画像読取手段２０とを備えている。
【００１４】
第１画像読取手段１０は、光源１１、第１〜第３ミラー１２ａ，１２ｂ，１２ｃ、レンズ１３及びＣＣＤ（イメージセンサ）１４から構成される縮小光学系の画像読取手段であり、第２画像読取手段２０は、光源２１、第１〜第４ミラー２２ａ，２２ｂ，２２ｃ，２２ｄ、レンズ２３及びＣＣＤ（イメージセンサ）２４から構成される縮小光学系の画像読取手段である。また、第２画像読取手段２０は、光源２１、第１〜第４ミラー２２ａ，２２ｂ，２２ｃ，２２ｄ、レンズ２３及びＣＣＤ２４が１つの集合体をなすようにユニット化されている。
【００１５】
図１に示した原稿読取装置１００は複写機（図示せず）の上部に設けられるもので、主として第２画像読取手段２０を収納するＡＤＦ１、及び第１画像読取手段１０を収容する主走査部２から構成されている。
【００１６】
ＡＤＦ１と主走査部２はヒンジ（図示せず）によって連結され、ＡＤＦ１はヒンジの回動によって主走査部２に対して開閉可能となっている。主走査部２は、主として筐体３、透明なガラス板からなるプラテン板４、筐体３内に収容される第１画像読取手段１０から構成されている。
【００１７】
第１画像読取手段１０は、主として光源１１及び第１ミラー１２ａを保持する光源ユニット１５、第２ミラー１２ｂ及び第３ミラー１２ｃを保持するミラーユニット１６、レンズ１３及びＣＣＤ１４から構成されている。
【００１８】
主走査部２は、ユーザーが原稿をプラテン４上に載置して原稿画像の読み取りを行う原稿固定方式による画像読取と、ＡＤＦ１によって自動的に原稿を搬送しながら原稿画像を読み取る原稿移動方式の両方式に対応している。
【００１９】
原稿固定方式によって原稿画像を読み取る場合、光源ユニット１５とミラーユニット１６は、原稿固定方式に対応したホームポジションにそれぞれ移動する。その後、光源ユニット１５は原稿に対して光を照射しながら一定の速度で副走査方向（紙面に対して左右方向）に移動して原稿の画像を走査し、それと同時にミラーユニット１６は光源ユニット１５の移動速度の１／２の移動速度で同じく副走査方向に移動する。
【００２０】
光源ユニット１５から照射され原稿から反射した光は光源ユニット１５に設けられた第１ミラー１２ａで反射したのち、ミラーユニット１６の第２及び第３ミラー１２ｂ，１２ｃによって１８０°光路変換され、第３ミラー１２ｃから反射された光はレンズ１３を介してＣＣＤ１４に結像し、電気的な画像データに変換される。
【００２１】
一方、原稿移動方式によって原稿画像を読み取る場合、光源ユニット１５及びミラーユニット１６は、図１に示されるホームポジションに静止したまま、ＡＤＦ１によってホームポジションの上部を通過するように搬送される原稿に対して光源１１から光を照射して画像を走査し、原稿の表面側から反射された光は、上述の原稿固定方式と同様に第１ミラー１２ａによって反射された後、ミラーユニット１６の第２及び第３ミラー１２ｂ，１２ｃによって１８０°光路変換され、レンズ１３を介してＣＣＤ１４に結像し、電気的な画像データに変換される。
【００２２】
図１に示されるように、ＡＤＦ１は、主として原稿載置台５に載置された原稿を１枚ずつＡＤＦ１の内部へ呼び込む呼び込みローラ６、呼び込まれた原稿を原稿搬送路Ｆに沿って搬送する複数対の搬送ローラ７、給紙タイミングを調節するレジストローラ８、画像読み取りを終えた原稿を排出トレイ３０へ排出する排紙ローラ９から構成され、ユニット化された第２画像読取手段２０が略Ｕ字状に弧を描く原稿搬送路Ｆ内に収まるように配設されている。
【００２３】
第２画像読取手段２０は、第１ミラー２２ａ、第２ミラー２２ｂ、第３ミラー２２ｃ、第４ミラー２２ｄ、レンズ２３及びＣＣＤ２４から構成され、これらの各部材は１つの集合体をなすようにユニット用筐体２６に収容されることによりユニット化されている。なお、第２画像読取手段２０において、光源２１、レンズ２３、ＣＣＤ２４は、第１画像読取手段を構成するそれらと同一のものである。
【００２４】
上述の通り、第２画像読取手段２０は、ユーザーから両面読み取りの要求がなされた際に、原稿搬送路Ｆを搬送される原稿の裏面側の画像を読み取る。具体的には、第１画像読取手段１０によって原稿の表面側の画像が読み取られた後、該原稿は原稿搬送路Ｆに沿って排出トレイ３０へ向けて搬送される間に、第２画像読取手段の光源２１の下部を通過する。この際に第２画像読取手段２０の光源２１は原稿の裏面側へ向けて光を照射し、原稿の裏面側から反射された光は、ガラス等の透明部材で形成された読取窓３２を通過し第１〜第４ミラー２２ａ，２２ｂ，２２ｃ，２２ｄによって順次光路変換された後、レンズ２３を介してＣＣＤ２４に結像し、電気的な画像データに変換される。
【００２５】
また、ＡＤＦ１の下面は、主走査部２のプラテン板４上に載置された読み取り原稿を上から押さえる押さえ板２８となっている。この押さえ板２８は、第１画像読取手段２０の光源２１に対峙する部分が開放可能な蓋体２９となっている。
【００２６】
また、原稿載置台５には、載置された原稿の有無を検出するための原稿センサ５２、原稿の搬送方向の原稿長さを検出する原稿長さセンサ５０−１，５０−２が備えられている。また、原稿載置台５には、原稿の横方向を規制する原稿ガイド５１が備えられており、原稿ガイドを移動させることで、ボリューム５０−３が回転しボリュームの抵抗値がへんかする。その抵抗値を、後述する図２で示す制御部１０１が、Ａ／Ｄ端子で抵抗値を読み取ることで、載置された原稿の横幅を検出することが可能となっている。
【００２７】
読み取り原稿を搬送する搬送路には、搬送される原稿の位置を検出するための光学センサ５３−１，５３−２，５３−３，５３−４、５３−５，５３−６、５３−７，５３−８が備えられており、各センサの検出タイミングにより原稿の搬送速度も検出することが可能となっている。
【００２８】
図２は、本実施形態の原稿読取装置１００の電気的構成の主要部を概略的に示すブロック図である。
【００２９】
本実施形態の原稿読取装置１００は、主として制御部１０１、スキャナ部１０２、画像処理部１０３、記憶部１０４、通信部１０５、操作パネル部１０６、原稿走査部駆動モータ１０７ａを駆動制御するドライバ１０７、原稿搬送ローラ駆動モータ１０８ａを駆動制御するドライバ１０８から構成されている。
【００３０】
制御部１０１は、装置全体の動作制御を管理する部分であり、図示は省略しているがＣＰＵ、ＲＯＭ、ＲＡＭ等によって構成されている。
【００３１】
スキャナ部１０２は、図１に示す第１及び第２画像読取手段１０，２０の光学走査系を構成する。第１及び第２画像読取手段１０，２０のＣＣＤ１４，２４は、上記説明では光学縮小方式のＣＣＤ（Charge Coupled Devices）としているが、等倍光学方式のＣＩＳ（Contact Image Sensor）でもよい。
【００３２】
画像処理部１０３は、第１画像読取手段１０または第２画像読取手段２０で読み取った光学データを、ページ単位で電気的な画像データに変換する。
【００３３】
記憶部１０４は、例えばＲＡＭ、ＥＥＰＲＯＭ、ハードディスク、ＭＯなどで構成され、制御部１０１によって制御される制御中のデータ、入力された各種指示内容を記憶する。また、記憶部１０４は、スキャナ部１０２で読み取った原稿画像を記憶する原稿画像記憶部、変換された文字列のコードからなる文書を記憶する文書記憶部として機能する領域を備えている。そして、図１に示したセンサ５０，５２，５３も備えている。
【００３４】
通信部１０５は、接続されたコンピュータやプリンタといった外部機器２００との間で双方向通信を行う通信部であり、画像処理部１０３で画像処理したデータを外部機器２００に送信する。また、外部機器２００から送信されてきたデータを本装置が扱えるデータに展開するためのメモリを備えている。
【００３５】
操作パネル部１０６は、図示は省略しているが、図１に示す原稿読取装置１００の手前側に配置される。具体的には、主走査部２をＡＤＦ１より手前側まで拡張し、その上面部分に配置される。操作パネル部１０６は、原稿読取時の動作モード（片面読み取りや両面読み取りなどの指定）を入力する場合などに用いられる。
【００３６】
原稿走査部駆動モータ１０７ａは、原稿固定方式によって原稿画像を読み取る場合に、光源ユニット１５及びミラーユニット１６を適宜の速度で副走査方向に移動させるためのモータであり、制御部１０１からの制御により、ドライバ１０７によって適宜駆動制御される。
【００３７】
原稿搬送ローラ駆動モータ１０８ａは、原稿搬送路Ｆに配置された呼び込みローラ６、搬送ローラ７、レジストローラ８、排紙ローラ９などの各ローラを駆動するモータであり、制御部１０１からの制御により、ドライバ１０８によって適宜駆動制御される。
【００３８】
図３は原稿読取装置の原稿載置台５を上面から見た図面であり、混在原稿３００ａ，３００ｂ，３００ｃが上からこの順に載置されている状態を示している。搬送方向の原稿の長さは、３００ｂ＜３００ａ＜３００ｃであり、原稿の幅は、３００ａ＜３００ｂ＝３００ｃである。原稿ガイド５１は、原稿３００ｂ，３００ｃの横方向を揃えるために、原稿幅に設定されている。原稿３００ａは、図３では上側の原稿ガイド５１に当接させて揃えて載置されている。
【００３９】
図４は混在原稿３００ａ，３００ｂ，３００ｃの状態を示す図面であり、Ａ）は原稿載置台５に載置された原稿３００ａ，３００ｂ，３００ｃの状態を示し、Ｂ）、Ｃ）は排出トレイ３０に排出された理想的な原稿の積載状態を示すものである。Ｂ）は原稿載置台５から反転パスを介して排出された原稿であり、Ｃ）はストレートパスを介して排出された原稿であり、いずれも原稿の先端部が読み取り前と同じ状態に揃っている。
【００４０】
図５は本発明に適用される原稿の排出を適用したものであり、原稿の長さに応じて、原稿の排出速度を切り替えることにより、原稿の先端がほぼ一致した状態とすることで、読み取りが終わった原稿の整理が容易になるという効果を備えている。Ａ）は原稿載置台５に載置された原稿３００ａ，３００ｂ，３００ｃの状態を示し、Ｂ）は原稿載置台から反転パスを介して排出された原稿、Ｃ）はストレートパスを介して排出された原稿を示している。
【００４１】
図６は原稿載置台に取り付けられたセンサの配置位置を示すものであり、原稿載置台５に載置された原稿３００の有無を検出するための原稿センサ５２、原稿の搬送方向の原稿長さを検出する原稿長さセンサ５０−１，５０−２が備えられている。また、原稿載置台５には、原稿３００の横方向を規制する原稿ガイド５１が備えられており、原稿ガイドを移動させることで、ボリューム５０−３が回転しボリュームの抵抗値が変化する。その抵抗値を図２で示す制御部がＡ／Ｄ端子で抵抗値を読み取ることで、載置された原稿３００の横幅を検出することで定型サイズの記録紙を検出することが可能である。
【００４２】
図７には原稿の長さ方向の検出センサ５０−１，５０−２と、原稿横幅の検出センサ５０−３によって検出された条件によって、導かれる用紙サイズを示したものである。このデータが記憶部１０４に記憶されており、制御部１０１は、検出センサ５０−１，５０−２，５０−３の検出結果から、載置された原稿のうち最大の定型サイズを特定し、最大原稿長さを特定する。
【００４３】
図８及び図９は、原稿搬送路に備えられたセンサと原稿の搬送状態を示す図面である。原稿３００はパルスモータにより搬送速度を制御しながら搬送されるが、所定位置に配置されたセンサ５３により原稿３００の先端、または、後端を検出することで、更に正確な原稿の位置を検出することが出来る。本発明では、読み取り原稿がサイズ混在原稿であるために原稿載置台５に載置された状態では最大の原稿サイズが検出されるだけであって、個々の原稿のサイズが検出することが出来ないために、搬送路Ｆに備えられた原稿検知センサ５３により搬送中の原稿３００の長さを検出するものである。
【００４４】
用紙搬送路Ｆに備えられたどのセンサを用いても構わないが、図８、図９の事例では、原稿読取位置の手前にあるセンサ５３−６が読み取り原稿の先端を検知した後に（図８参照）、センサ５３−４が読み取り原稿の後端を検出することにより（図９参照）、原稿の搬送速度とセンサの配置距離により読み取り原稿の長さを検出することが出来る。
上記の事例では複数のセンサを用いたが１つのセンサで原稿の先端後端を検出しても構わない。
【００４５】
本発明の特徴は、図４、及び、図５で示したように、混在原稿を読み取った後の原稿の先端部を一致させて揃えることであり、読み取った後の原稿を機外排出するときの排出速度を可変することで実現できる。
【００４６】
まず、原稿載置台５においてセンサ５０により検出した原稿の最大サイズを基準とする。具体的には、Ａ３原稿が最大サイズで最大原稿長さを有するとすると、制御部１０１は、Ａ３原稿の排出速度を基準排出速度とする。搬送路Ｆに設置された複数のセンサ５３により副走査方向の原稿長さを検出し、Ａ３より短い原稿であるかを確認して、制御部１０１はドライバ１０８を介して原稿搬送ローラ駆動モータを制御して排出速度を上げる。これによって、Ａ３より読取原稿が短い場合には機外への排出速度を上げ、原稿を外部に「蹴り出す」ことで、最大サイズの原稿に先端部を一致させることができる。原稿の長さによる排出速度は、走行長さ検知により得られた原稿長とＡ３原稿長（４２０ｍｍ）との比率によって算出できる。
【００４７】
例えば、読み取り原稿がＢ４−Ｒ検知の場合：
基準排出速度６００（ｍｍ／ｓ）＊比率１．１５（＝４２０／３６４）＝６９２．３１（ｍｍ／ｓ）
【００４８】
読み取り原稿がＡ５検知の場合：
基準排出速度６００（ｍｍ／ｓ）＊比率２．８４（＝４２０／１４８）＝１７０２．７０（ｍｍ／ｓ）
【００４９】
【表１】
2009200677.tif 000003
【００５０】
原稿積載台において検出した最大原稿サイズがＡ４−Ｒの場合には、Ａ４−Ｒを排出基準速度とし、副走査方向長がＡ４−Ｒより短い原稿の場合排出速度を上げる。
【００５１】
読み取り原稿がＢ５−Ｒ検知の場合：
基準排出速度６００（ｍｍ／ｓ）＊比率（＝２９７／２５７）＝６９３．３９（ｍｍ／ｓ）
【００５２】
【表２】
2009200677.tif 000004
【００５３】
また、原稿積載台５において検出した最大サイズがＡ３の場合には、原稿トレイにて検知された原稿サイズに対して、走行長が半分以下のときのみ排紙制御変更Ａ３を基準排出速度とし、副走査方向の原稿長さがＡ３の半分以下の原稿の場合排出速度を上げる。下記の排出速度は、走行長さ検知により得られた原稿長とＡ３原稿長（４２０ｍｍ）との比率によって算出できる。
【００５４】
【表３】
2009200677.tif 000005
【００５５】
図８、図９に示したように、検出センサ５３のＯＮ／ＯＦＦと、原稿送りモーターステップ数、時間、センサ間距離により原稿長を算出する処理について説明する。
原稿搬送センサ５３−６がＯＮしたあと、原稿搬送センサ５３−４がＯＦＦするまでのモーターステップをカウントする。すると、原稿走行長は、
【００５６】
原稿走行長＝１ステップのモータ距離＊モーターステップ数＋（原稿搬送センサ５３−６〜原稿搬送センサ５３−４間の距離）
【００５７】
上記のように、混在原稿が設定された際には、載置された最大の原稿サイズと現在搬送中の原稿の長さから機外への排出速度を変化させることで、読み取りが完了した原稿の先端を、ほぼ同一位置にすることができる。
【００５８】
本発明においては、原稿搬送時に表裏の画像を同時に読み取ることが可能であるが、読み取り時の影響を防止するために表裏の読み取り位置を異ならせている。
【００５９】
図１０に示すように表面はＡ部、裏面はＢ部で、原稿画像を読み取る為、両面原稿を読み取る場合には、センサ５３−８で原稿の後端を検出した後に排出速度を高速にすることにより、読み取りが完了した記録紙を高速で機外に蹴り出すことが出来る。
【００６０】
また、片面原稿の場合には、センサ５３−７により読み取り原稿の後端を検出した後に排出速度を高速にすることにより、読み取りが完了した記録紙を高速で機外に蹴り出すことが出来る。
【００６１】
尚、本発明は、上記した実施の形態に限定されるものではなく、本発明の要旨を逸脱しない範囲内において種々変更を加え得ることは勿論である。
【図面の簡単な説明】
【００６２】
【図１】本発明に係る原稿読取装置の一実施形態を示す構成図である
【図２】本実施形態の原稿読取装置の電気的構成の主要部を概略的に示すブロック図である。
【図３】原稿読取装置の原稿載置台を上面から見た図面である。
【図４】原稿載置台と排出トレイ上の原稿載置状態の理想を示す図である。
【図５】本発明の原稿読取装置における原稿載置台と排出トレイ上の原稿載置状態を示す図である。
【図６】原稿載置台に取り付けられたセンサの配置位置を示す図である。
【図７】原稿の長さ方向の検出センサと、原稿横幅の検出センサとによる検出結果によって導かれる用紙サイズを示した図である。
【図８】原稿搬送路に備えられたセンサと原稿の搬送状態を示す図である。
【図９】図８に続く原稿搬送路に備えられたセンサと原稿の搬送状態を示す図である。
【図１０】両面原稿を読み取る場合を示す図である。
【符号の説明】
【００６３】
２  主走査部
３  筐体
４  プラテン板
５  原稿載置台
６  ローラ
７  搬送ローラ
８  レジストローラ
９  排紙ローラ
１０，２０  画像読取手段
１１  光源
１２ａ，１２ｂ，１２ｃ  ミラー
１３  レンズ
１５  光源ユニット
１６  ミラーユニット
２１  光源
２２ａ，２２ｂ，２２ｃ，２２ｄ  ミラー
２３  レンズ
２６  ユニット用筐体
２８  板
２９  蓋体
３０  排出トレイ
３２  読取窓
５０，５２，５３  センサ
５１  原稿ガイド
１００  原稿読取装置
１０１  制御部
１０２  スキャナ部
１０３  画像処理部
１０４  記憶部
１０５  通信部
１０６  操作パネル部
１０７，１０８  ドライバ
１０７ａ  原稿走査部駆動モータ
１０８ａ  原稿搬送ローラ駆動モータ
２００  外部機器
３００  原稿
【図１】
2009200677.tif 000006
【図２】
2009200677.tif 000007
【図３】
2009200677.tif 000008
【図４】
2009200677.tif 000009
【図５】
2009200677.tif 000010
【図６】
2009200677.tif 000011
【図７】
2009200677.tif 000012
【図８】
2009200677.tif 000013
【図９】
2009200677.tif 000014
【図１０】
2009200677.tif 000015